(57)【要約】【課題】  複数の画像を効率よく読み取る画像読取装置を提供する。【解決手段】  画像読取装置１０は、写真フィルムＦの搬送経路上に配置される画像読取手段２４，２６を備える。画像読取手段２４，２６は、それぞれ、写真フィルムＦに光を照射する光照射部２８，３０、写真フィルムＦを透過した光を結像する単焦点レンズ３２，３４、投影される像を検出しアナログ画像信号に変換するラインＣＣＤセンサ３６，３８、アナログ画像信号をデジタル画像信号に変換するＡ／Ｄ変換器４０，４２を含む。画像読取手段２４，２６は、搬送される写真フィルムＦに形成される複数の画像を、並行してデジタル画像信号に変換し、プレスキャンおよび本スキャンを同時に行う。【選択図】      図１
2005151061.tif 000002
【特許請求の範囲】
【請求項１】
画像が形成される被露光媒体を搬送する搬送手段、および
前記搬送手段によって搬送される前記被露光媒体から前記画像を読み取るために相互に異なる位置に設けられる少なくとも２つの画像読取手段を備え、
前記各画像読取手段は、前記被露光媒体に向けて光を照射する光照射部と、
前記被露光媒体を透過した光を結像する単焦点レンズと、
前記単焦点レンズによって結像された光を検出し電気信号に変換するための光電変換部とを有する、画像読取装置。
【請求項２】
前記光電変換部は光を検出し電気信号に変換するためのＣＣＤセンサを含み、
前記画像読取手段のうち少なくとも２つはそれぞれ異なる分解能の前記ＣＣＤセンサを有する、請求項１に記載の画像読取装置。
【請求項３】
前記光電変換部は光を検出し電気信号に変換するためのＣＣＤセンサを含み、
前記画像読取手段のうち少なくとも２つはそれぞれ異なるレンズ特性の前記単焦点レンズを有する、請求項１に記載の画像読取装置。
【請求項４】
それぞれ異なるレンズ特性の前記単焦点レンズを有する前記画像読取手段はそれぞれ異なる分解能の前記ＣＣＤセンサを有する、請求項３に記載の画像読取装置。
【発明の詳細な説明】
【技術分野】
【０００１】
この発明は画像読取装置に関し、より特定的には、被露光媒体から画像を読み取る画像読取装置に関する。
【背景技術】
【０００２】
近年、画像が形成される写真フィルムなどの被露光媒体に光を照射し、被露光媒体を透過した光をレンズによって結像し、この像（光）をセンサなどによって検出し電気信号に変換しデジタル画像データとして読み取る画像読取装置が知られている。かかる画像読取装置において、センサとしては、像を検出して電気信号に変換するための多数のＣＣＤ（Charge Coupled Device）素子が配列されその配列方向を主走査方向とするラインＣＣＤセンサなどが用いられ、写真フィルムまたはラインＣＣＤセンサを副走査方向に移動させ、写真フィルムに形成される画像を読み取る。
【０００３】
一般に、このような画像読取装置を用いて写真フィルムから画像を読み取る際には、事前読み取り（プレスキャン）によって画像の状態を判定し、必要に応じて画像読取装置の調整や得られた画像データに施す補正の設定などを行い、その後、本画像読み取り（本スキャン）が行われる。
【発明の開示】
【発明が解決しようとする課題】
【０００４】
しかし、従来技術の画像読取装置では、複数の画像の読み取りを行う場合、１つの画像につきプレスキャンおよび本スキャンが完了するまで次の画像の読み取りを行うことができないため、あるいは複数の画像について一通りプレスキャンが完了した後に本スキャンを行うため、効率が悪かった。
それゆえに、この発明の主たる目的は、複数の画像を効率よく読み取ることができる、画像読取装置を提供することである。
【課題を解決するための手段】
【０００５】
上述の目的を達成するために、請求項１に記載の画像読取装置は、画像が形成される被露光媒体を搬送する搬送手段、および搬送手段によって搬送される被露光媒体から画像を読み取るために相互に異なる位置に設けられる少なくとも２つの画像読取手段を備え、各画像読取手段は、被露光媒体に向けて光を照射する光照射部と、被露光媒体を透過した光を結像する単焦点レンズと、単焦点レンズによって結像された光を検出し電気信号に変換するための光電変換部とを有する。
【０００６】
請求項２に記載の画像読取装置は、請求項１に記載の画像読取装置において、光電変換部は光を検出し電気信号に変換するためのＣＣＤセンサを含み、画像読取手段のうち少なくとも２つはそれぞれ異なる分解能のＣＣＤセンサを有することを特徴とする。
【０００７】
請求項３に記載の画像読取装置は、請求項１に記載の画像読取装置において、光電変換部は光を検出し電気信号に変換するためのＣＣＤセンサを含み、画像読取手段のうち少なくとも２つはそれぞれ異なるレンズ特性の単焦点レンズを有することを特徴とする。
【０００８】
請求項４に記載の画像読取装置は、請求項３に記載の画像読取装置において、それぞれ異なるレンズ特性の単焦点レンズを有する画像読取手段はそれぞれ異なる分解能のＣＣＤセンサを有することを特徴とする。
【０００９】
請求項１に記載の画像読取装置では、搬送される被露光媒体から画像を読み取ることができるように少なくとも２つの画像読取手段が配置され、それぞれ並行して画像の読み取りを行うことができる。したがって、搬送経路の上流側に配置される画像読取手段でプレスキャンを行った画像について搬送経路の下流側に配置される画像読取手段で本スキャンを行い、その間に搬送経路の上流側に配置される画像読取手段で次の画像のプレスキャンを行うことができ、複数の画像を効率よく読み取ることができる。また、プレスキャンと本スキャンとを異なる画像読取手段によって行うので、プレスキャンと本スキャンとを１つの画像読取手段によって行う場合と比べて、光電変換部の負担を軽減することができ、光電変換部に高速処理の高性能なデバイスを用いる必要もない。さらに、単焦点レンズを用いるので、レンズ設計が容易となり、変動要因も少なく、光軸合わせ（焦点合わせ）も容易に行うことができ、調整も簡略化できる。
【００１０】
請求項２に記載の画像読取装置では、画像読取手段のうち少なくとも２つは、それぞれ異なる分解能のＣＣＤセンサを有し、プレスキャンまたは本スキャンに適した品質で画像を読み取ることができ、光電変換部の負担をより一層軽減することができる。
【００１１】
請求項３に記載の画像読取装置では、画像読取手段のうち少なくとも２つは、それぞれ、異なるレンズ特性の単焦点レンズを有し、主走査方向の寸法が異なる被露光媒体を透過した光を結像し、適切な大きさの像をＣＣＤセンサに投影する。これによって、各画像読取手段のＣＣＤセンサの主走査方向の寸法が等しい場合であっても、それぞれ主走査方向の寸法が異なる被露光媒体から画像を読み取ることができる。
【００１２】
被露光媒体に形成される画像のプリント処理をする現像所（ラボ）には、主走査方向の寸法が異なる様々な種類の被露光媒体が持ち込まれ、これらに形成される画像を所望の品質で読み取り、プリントする依頼が顧客より寄せられる。請求項４に記載の画像読取装置では、それぞれ異なるレンズ特性の単焦点レンズを有する画像読取手段は、それぞれ、異なる分解能のＣＣＤセンサを有し、主走査方向の寸法が異なる被露光媒体から所望の品質となるように画像を読み取ることができ、画像品質に対する利用者の様々な要求を満たすことができる。
【発明の効果】
【００１３】
この発明によれば、複数の画像を効率よく読み取ることができる。
【発明を実施するための最良の形態】
【００１４】
以下、図面を参照して、この発明の実施の形態について説明する。
図１および図２を参照して、この発明の一実施の形態の画像読取装置１０は、写真処理用のフィルムスキャナであり、制御部１２とスキャナ部１４とを含む。
【００１５】
制御部１２は、図示しないＣＰＵバスで相互に接続されたＣＰＵ１２ａ、ＲＯＭ１２ｂ、ＲＡＭ１２ｃ、およびＨＤＤ(Hard Disk Drive)１２ｄを含む。
また、制御部１２には、テキストや画像などを表示するためのモニタなどの表示部１６と種々の設定を行うキーボードやマウスなどの入力部１８とが接続される。
【００１６】
ＣＰＵ１２ａは、ＲＯＭ１２ｂやＨＤＤ１２ｄに記録された各種のプログラムを実行し、データを処理し、スキャナ部１４内の各構成要素に指示を与え、画像読取装置１０の動作を制御する。
【００１７】
ＲＯＭ１２ｂは、起動用プログラムなど記憶している。起動用プログラムは、画像読取装置１０の電源投入時にＣＰＵ１２ａによって実行される。これによって、ＨＤＤ１２ｄに記憶されているオペレーティングシステム（ＯＳ）、画像処理プログラムなどのプログラムがＲＡＭ１２ｃに展開され、各種の処理や制御が実行可能となる。
【００１８】
ＲＡＭ１２ｃには、画像読取装置１０を制御するプログラムなどが展開され、プログラムによる処理結果、処理のための一時データ、表示部１６に情報を表示するための表示用データなどを保持し、ＣＰＵ１２ａの作業領域として使用される。ＲＡＭ１２ｃ上に展開された表示用データは、表示部１６に伝達され、表示部１６は、その画面上に表示用データに対応するテキストや画像などを表示する。
【００１９】
ＨＤＤ１２ｄは、ＣＰＵ１２ａの指示にしたがって、プログラム、制御用データ、テキストデータ、画像データなどをハードディスクに対して記録しまたは読み出す。
【００２０】
スキャナ部１４は、写真フィルムＦを搬送する搬送ローラ対２０ａ，２０ｂ、光を発する光源２２、および写真フィルムＦに形成される画像を読み取る画像読取手段２４，２６を含む。
【００２１】
搬送ローラ対２０ａ，２０ｂは、それぞれ図示しないモータによって駆動され、写真フィルムＦを矢印Ａ方向（副走査方向）に搬送する。なお、写真フィルムＦの搬送速度は、搬送ローラ対２０ａ，２０ｂの回転速度を変更することによって任意に設定することができる。
【００２２】
光源２２は、たとえば、ハロゲンランプやＬＥＤ（Light Emitting Diode）などからなり、光源２２が発する光は図示しないハーフミラーなどによって２つに分けられ、画像読取手段２４，２６の光照射部２８，３０に与えられる。
【００２３】
画像読取手段２４，２６は、搬送経路上に直列的に設けられ、それぞれ、搬送される写真フィルムＦに光を照射する光照射部２８，３０、写真フィルムＦを透過した光を結像する単焦点レンズ３２，３４、光を検出しアナログ電気信号に変換するラインＣＣＤセンサ３６，３８、およびアナログ電気信号をデジタル電気信号に変換するＡ／Ｄ（Analog/Digital）変換器４０，４２を含む。
【００２４】
図２に示すように、写真フィルムＦとしては、一般に広く普及する１３５フィルムＦ１が用いられ、１３５フィルムＦ１には、矢印Ａ方向の寸法３６ｍｍ、矢印Ｂ方向（主走査方向）の寸法２４ｍｍの複数のコマ画像Ｐ１（ここではコマ画像Ｐ１ａ，Ｐ１ｂ）が形成される。
【００２５】
光照射部２８，３０は、それぞれ調光フィルタおよびミラートンネルなどによって同一に構成され、光源２２より与えられる光を矢印Ａ方向に搬送される１３５フィルムＦ１に向けて照射する。
【００２６】
光照射部２８，３０によって、それぞれ１３５フィルムＦ１に照射される光は、図示しないマスクなどを用いて、コマ画像Ｐ１の矢印Ｂ方向の寸法と等しい寸法の線状の光となるように調整される。なお、光照射部２８，３０によって照射される光の矢印Ｂ方向の寸法は、任意に設定することができる。
【００２７】
単焦点レンズ３２，３４は、それぞれ１３５フィルムＦ１とラインＣＣＤセンサ３６，３８との間に所定の位置で配置され、コマ画像Ｐ１を透過した線状の光を結像し、ラインＣＣＤセンサ３６，３８に投影する。単焦点レンズ３２，３４は、それぞれ同一のレンズ特性を有し、コマ画像Ｐ１の線状に光が透過された部分の画像を１．４倍に拡大した像をラインＣＣＤセンサ３６，３８に投影する。つまり、単焦点レンズ３２，３４は、それぞれ矢印Ｂ方向の寸法３３．６ｍｍの線状の像をラインＣＣＤセンサ３６，３８に投影する。
【００２８】
ラインＣＣＤセンサ３６，３８は、それぞれ単焦点レンズ３２，３４によって投影される線状の像をアナログ電気信号であるアナログ画像信号に変換し、Ａ／Ｄ変換器４０，４２に伝達する。
【００２９】
詳しくは、ラインＣＣＤセンサ３６，３８は、共に矢印Ｂ方向の寸法３５ｍｍに形成され、それぞれの受光面には矢印Ｂ方向に多数のＣＣＤ素子が配列される。各ＣＣＤ素子は、光を検出し、これを１画素のアナログ画像信号に変換する。つまり、ラインＣＣＤセンサ３６，３８は、投影される線状の像を走査してアナログ画像信号に変換する。
【００３０】
ラインＣＣＤセンサ３６の受光面には、２０００個のＣＣＤ素子が矢印Ｂ方向に配列され、受光面に投影される像を１走査当たり最大で２０００画素のアナログ画像信号に変換する分解能を有する。したがって、ラインＣＣＤセンサ３６は、単焦点レンズ３２によって投影される線状の像を１走査当たり最大で３３．６ｍｍ÷３５ｍｍ×２０００画素＝１９２０画素のアナログ画像信号に変換する。
【００３１】
また、ラインＣＣＤセンサ３８の受光面には、５０００個のＣＣＤ素子が矢印Ｂ方向に配列され、受光面に投影される像を１走査当たり最大で５０００画素のアナログ画像信号に変換する分解能を有する。したがって、ラインＣＣＤセンサ３８は、単焦点レンズ３４によって投影される線状の像を１走査当たり最大で３３．６ｍｍ÷３５ｍｍ×５０００画素＝４８００画素のアナログ画像信号に変換する。
【００３２】
ラインＣＣＤセンサ３６，３８は、制御部１２の指示に基づいて所定のタイミングで動作し、１３５フィルムＦ１の搬送に伴って移り変わる線状の像を繰り返し走査することで、コマ画像Ｐ１の像全体をアナログ画像信号に変換する。たとえば、画像読取手段２４によってプレスキャンを行う場合、ラインＣＣＤセンサ３６は３０００回程度繰り返し走査し、画像読取手段２６によって本スキャンを行う場合、ラインＣＣＤセンサ３８は７０００回程度繰り返し走査して、コマ画像Ｐ１の像全体をアナログ画像信号に変換する。
【００３３】
ラインＣＣＤセンサ３６，３８の１走査当たりの変換画素数は任意に設定することができ、また、ラインＣＣＤセンサ３６，３８の１コマ画像当たりの走査回数は任意に設定することができる。
【００３４】
図１に戻って、ラインＣＣＤセンサ３６，３８によって線状の像より変換されたアナログ画像信号は順次Ａ／Ｄ変換器４０，４２に伝達される。
【００３５】
Ａ／Ｄ変換器４０，４２は、それぞれラインＣＣＤセンサ３６，３８より伝達されるアナログ画像信号をたとえば１２ビットのデジタル画像信号に順次変換し、制御部１２のＲＡＭ１２ｃに伝達する。なお、Ａ／Ｄ変換器４０，４２の信号変換速度は、任意に設定することができる。
【００３６】
Ａ／Ｄ変換器４０，４２よりそれぞれＲＡＭ１２ｃに伝達されたデジタル画像信号は、ＣＰＵ１２ａによってＲＡＭ１２ｃ上でスキャン画像データとして合成され、ＨＤＤ１２ｄに記録されまたは当該画像データに基づいて表示部１６の画面上にスキャン画像が表示される。
【００３７】
なお、画像読取手段２４，２６によるコマ画像Ｐ１の読み取り（スキャン）速度は、それぞれ、搬送ローラ対２０ａ，２０ｂの１３５フィルムＦ１の搬送速度、ラインＣＣＤセンサ３６，３８の１走査当たりの変換画素数および１コマ画像当たりの走査回数、およびＡ／Ｄ変換器４０，４２の信号変換速度などを変更することによって任意に設定できる。
【００３８】
図３を参照して、このように構成される画像読取装置１０のプレスキャンおよび本スキャンの動作について説明する。
図３（ａ）に示すように、まず、連続して搬送される１３５フィルムＦ１に形成されるコマ画像Ｐ１ａを透過した線状の光が画像読取手段２４の単焦点レンズ３２によって結像され、この像がラインＣＣＤセンサ３６によって順次アナログ画像信号に変換され、Ａ／Ｄ変換器４０によって順次デジタル画像信号に変換され、ＲＡＭ１２ｃに伝達される。ＲＡＭ１２ｃに伝達された当該デジタル画像信号は、ＣＰＵ１２ａによってＲＡＭ１２ｃ上でコマ画像Ｐ１ａのプレスキャン画像データとして合成され、表示部１６の画面上にプレスキャン画像が表示される。
【００３９】
そして、プレスキャン画像がオペレータによって判定され、必要に応じてスキャナ部１４の各構成要素の調整や得られた画像データに施す補正の設定などが行われる。
【００４０】
ついで、図３（ｂ）に示すように、１３５フィルムＦ１の送りが進み、コマ画像Ｐ１ａを透過した線状の光が画像読取手段２６の単焦点レンズ３４によって結像され、この像がラインＣＣＤセンサ３８によって順次アナログ画像信号に変換され、Ａ／Ｄ変換器４２によって順次デジタル画像信号に変換され、ＲＡＭ１２ｃに伝達される。ＲＡＭ１２ｃに伝達された当該デジタル画像信号は、ＣＰＵ１２ａによってＲＡＭ１２ｃ上でコマ画像Ｐ１ａの本スキャン画像データとして合成され、ＨＤＤ１２ｄに記録される。
【００４１】
このとき、並行してコマ画像Ｐ１ｂを透過した線状の光が画像読取手段２４の単焦点レンズ３２によって結像され、この像がラインＣＣＤセンサ３６によって順次アナログ画像信号に変換され、Ａ／Ｄ変換器４０によって順次デジタル画像信号に変換され、ＲＡＭ１２ｃに伝達される。ＲＡＭ１２ｃに伝達された当該デジタル画像信号は、ＣＰＵ１２ａによってＲＡＭ１２ｃ上でコマ画像Ｐ１ｂのプレスキャン画像データとして合成され、表示部１６の画面上にプレスキャン画像が表示される。
【００４２】
さらに１３５フィルムＦ１の送りが進み、画像読取手段２６によってコマ画像Ｐ１ｂの本スキャンが行われ、画像読取手段２４によってコマ画像Ｐ１ｂに続くコマ画像Ｐ１のプレスキャンが行われる。このようにして、１３５フィルムＦ１に形成されるコマ画像Ｐ１全てについてプレスキャンおよび本スキャンが行われる。
【００４３】
その後、ＨＤＤ１２ｄに記録されたコマ画像Ｐ１の本スキャン画像データは、図示しないプリント部に伝達され、たとえば印画紙などに本スキャン画像データに基づく画像が形成される。
【００４４】
なお、画像読取手段２４によってプレスキャンを行い、画像読取手段２６によって本スキャンを行う場合、画像読取手段２４のラインＣＣＤセンサ３６は、画像読取手段２６のラインＣＣＤセンサ３８に比べて１走査当たりの変換画素数が小さくかつ１コマ画像当たりの走査回数も少なく設定されるので、コマ画像Ｐ１の像全体をアナログ画像信号に変換する時間も短くなる。搬送ローラ２０ａの回転速度を搬送ローラ２０ｂの回転速度よりも速く設定し、搬送ローラ２０ａ，２０ｂ間にループ形成部を設け、１３５フィルムＦ１をたるませるようにしてもよい。
【００４５】
このような画像読取装置１０によれば、画像読取手段２４，２６によって、連続して搬送される１３５フィルムＦ１に形成される複数のコマ画像Ｐ１（Ｐ１ａ，Ｐ１ｂ）を、並行してデジタル画像信号に変換することができ、プレスキャンおよび本スキャンを同時に行うことができ、複数のコマ画像Ｐ１を効率よく読み取ることができる。
【００４６】
また、プレスキャンと本スキャンとを画像読取手段２４，２６によって行うので、それぞれのラインＣＣＤセンサ３６，３８やＡ／Ｄ変換器４０，４２の負担を軽減することができ、高速処理の高性能なデバイスを用いる必要もない。
【００４７】
また、予めラインＣＣＤセンサ３６の分解能を小さく、ラインＣＣＤセンサ３８の分解能を大きくすることで、プレスキャンおよび本スキャンにおいてそれぞれ適した品質でコマ画像Ｐ１の読み取りを行うことができ、ラインＣＣＤセンサ３６，３８やＡ／Ｄ変換器４０，４２の負担をより一層軽減することができる。
【００４８】
また、ズームレンズを用いずに単焦点レンズ３２，３４を用いるので、レンズ設計が容易となり、光軸合わせ（焦点合わせ）も容易に行うことができ、調整も簡略化できる。
【００４９】
ついで、図１および図４を参照して、この発明の他の実施形態の画像読取装置１０ａについて説明する。
画像読取装置１０ａでは、上述の画像読取装置１０において、画像読取手段２４に代えて画像読取手段２４ａが用いられる。画像読取手段２４ａでは、単焦点レンズ３２およびラインＣＣＤセンサ３６に代えて単焦点レンズ３２ａおよびラインＣＣＤセンサ３６ａが用いられる。その他の構成については画像読取装置１０と同様に構成されるのでその重複する説明は省略する。
【００５０】
図４（ａ）に示すように、単焦点レンズ３２ａは、単焦点レンズ３４とは異なるレンズ特性を有し、コマ画像Ｐ１の線状に光が透過された部分の画像を０．６倍に縮小した像をラインＣＣＤセンサ３６ａに投影する。つまり、単焦点レンズ３２ａは、矢印Ｂ方向の寸法１４．４ｍｍの像をラインＣＣＤセンサ３６ａに投影する。
【００５１】
ラインＣＣＤセンサ３６ａは、ラインＣＣＤセンサ３８と同一に構成され、受光面に投影される像を１走査当たり最大で５０００画素のアナログ画像信号に変換する分解能を有する。したがって、ラインＣＣＤセンサ３６ａは、単焦点レンズ３２ａによって投影される線状の像を１走査当たり最大で１４．４ｍｍ÷３５ｍｍ×５０００画素≒２０５７画素のアナログ画像信号に変換する。
【００５２】
図４（ｂ）に示すように、このように画像読取装置１０ａを構成することで画像読取手段２４ａは、ブローニー（２Ｂ）フィルムＦ２にも対応して、これに形成されるコマ画像Ｐ２を読み取ることができる。ブローニー（２Ｂ）フィルムＦ２には、矢印Ａ方向の寸法５６ｍｍ、矢印Ｂ方向の寸法５６ｍｍのコマ画像Ｐ２が形成される。
【００５３】
単焦点レンズ３２ａは、コマ画像Ｐ２の線状に光が透過された部分の画像を０．６倍に縮小した像をラインＣＣＤセンサ３６ａに投影する。つまり、ブローニー（２Ｂ）フィルムＦ２に形成されるコマ画像Ｐ２を読み取る場合、単焦点レンズ３２ａは、矢印Ｂ方向の寸法３３．６ｍｍの像をラインＣＣＤセンサ３６ａに投影する。そして、ラインＣＣＤセンサ３６ａはこれを１走査当たり最大で３３．６ｍｍ÷３５ｍｍ×５０００画素＝４８００画素のアナログ画像信号に変換する。
【００５４】
ブローニー（２Ｂ）フィルムＦ２に形成されるコマ画像Ｐ２を読み取る場合、プレスキャンおよび本スキャンは画像読取手段２４ａによってのみ行われる。
【００５５】
なお、ブローニー（２Ｂ）フィルムＦ２には、この他にも形成されるコマ画像Ｐ２の矢印Ａ方向の寸法が異なるもの（たとえば６９ｍｍ）があるが、ラインＣＣＤセンサ３６ａの１コマ画像当たりの走査回数を変更することで、その全てに対応することができる。
【００５６】
このような画像読取装置１０ａによれば、画像読取手段２４ａ，２６によって、１３５フィルムＦ１に形成されるコマ画像Ｐ１のプレスキャンおよび本スキャンを並行して行うことができ、かつ画像読取手段２４ａによってブローニー（２Ｂ）フィルムＦ２に形成されるコマ画像Ｐ２を読み取ることができ、ラインＣＣＤセンサ３６ａ，３８の矢印Ｂ方向の寸法が等しい場合であっても、ズームレンズを用いることなく複数の写真フィルムのサイズに対応することができる。
【００５７】
さらに、図１および図４を参照して、この発明のその他の実施形態の画像読取装置１０ｂについて説明する。
画像読取装置１０ｂでは、上述の画像読取装置１０ａにおいて、画像読取手段２４ａ，２６に代えて画像読取手段２４ｂ，２６ａが用いられる。画像読取手段２４ｂでは、ラインＣＣＤセンサ３６ａに代えてラインＣＣＤセンサ３６ｂが用いられ、画像読取手段２６ａでは、ラインＣＣＤセンサ３８に代えてラインＣＣＤセンサ３８ａが用いられる。その他の構成については画像読取装置１０ａと同様に構成されるのでその重複する説明は省略する。
【００５８】
ラインＣＣＤセンサ３６ｂ，３８ａは、共に矢印Ｂ方向の寸法３５ｍｍに形成される。
ラインＣＣＤセンサ３６ｂは、受光面に投影される像を１走査当たり最大で３０００画素のアナログ画像信号に変換する分解能を有する。したがって、１３５フィルムＦ１に形成されるコマ画像Ｐ１を読み取る場合、ラインＣＣＤセンサ３６ｂは、単焦点レンズ３２ａによって投影される線状の像を１走査当たり最大で１４．４ｍｍ÷３５ｍｍ×３０００画素≒１２３４画素のアナログ画像信号に変換する。また、ブローニー（２Ｂ）フィルムＦ２に形成されるコマ画像Ｐ２を読み取る場合、ラインＣＣＤセンサ３６ｂは、単焦点レンズ３２ａによって投影される線状の像を１走査当たり最大で３３．６ｍｍ÷３５ｍｍ×３０００画素＝２８８０画素のアナログ画像信号に変換する。
【００５９】
また、ラインＣＣＤセンサ３８ａは、受光面に投影される像を１走査当たり最大で７０００画素の電気信号に変換する分解能を有する。したがって、１３５フィルムＦ１に形成されるコマ画像Ｐ１を読み取る場合、ラインＣＣＤセンサ３８ａは、単焦点レンズ３４によって投影される線状の像を１走査当たり最大で３３．６ｍｍ÷３５ｍｍ×７０００画素＝６７２０画素のアナログ画像信号に変換する。
【００６０】
このような画像読取装置１０ｂによれば、画像読取手段２４ｂ，２６ａは、それぞれ、異なる分解能のラインＣＣＤセンサ３６ｂ，３８ａを有し、１３５フィルムＦ１に形成されるコマ画像Ｐ１、ブローニー（２Ｂ）フィルムＦ２に形成されるコマ画像Ｐ２を所望の品質となるように読み取ることができ、画像品質に対する利用者の様々な要求を満たすことができる。
【００６１】
なお、光源は、各光照射部それぞれに対応して設けてもよいが、光源を１つとし、これによって発せられる光を分けて用いることで、各光照射部における光量のばらつきなどが抑えられ、その制御が容易となる。
【００６２】
また、１つの画像読取手段によって少なくとも１種類の写真フィルムに形成されるコマ画像のプレスキャンおよび本スキャンを行えることは言うまでもない。
【００６３】
また、上述の実施形態における写真フィルムの種類、コマ画像の主走査方向および副走査方向の寸法、単焦点レンズのレンズ特性（投影する像の倍率）、ラインＣＣＤセンサの主走査方向の寸法および分解能は、その一例であってこれに限定されるものではない。
【００６４】
さらに、上述の実施形態では、写真フィルムとして１３５フィルムとブローニー（２Ｂ）フィルムとを用いる場合について説明したが、この発明は、ＡＰＳフィルムと１３５フィルムとの場合、ＡＰＳフィルムとブローニー（２Ｂ）フィルムとの場合、１１０フィルムとブローニー（２Ｂ）との場合など、主走査方向の寸法が異なる写真フィルムについてその組合せは任意でよい。
【図面の簡単な説明】
【００６５】
【図１】この発明の一実施形態を示す図解図である。
【図２】光照射部とフィルムと単焦点レンズとラインＣＣＤセンサとの対応関係を示す図解図である。
【図３】（ａ）はプレスキャンの動作を示す図解図であり、（ｂ）はプレスキャンおよび本スキャンの動作を示す図解図である。
【図４】この発明の他の実施形態において、（ａ）は１３５フィルムのコマ画像を読み取る場合を示す図解図であり、（ｂ）はブローニー（２Ｂ）フィルムのコマ画像を読み取る場合を示す図解図である。
【符号の説明】
【００６６】
１０，１０ａ，１０ｂ      画像読取装置
１２      制御部
１４      スキャナ部
２２      光源
２４，２４ａ，２４ｂ，２６，２６ａ      画像読取手段
２８，３０      光照射部
３２，３２ａ，３４      単焦点レンズ
３６，３６ａ，３６ｂ，３８，３８ａ      ラインＣＣＤセンサ
４０，４２      Ａ／Ｄ変換器
Ｆ      写真フィルム
Ｆ１      １３５フィルム
Ｆ２      ブローニー（２Ｂ）フィルム
Ｐ１，Ｐ１ａ，Ｐ１ｂ，Ｐ２      コマ画像
【図１】
2005151061.tif 000003
【図２】
2005151061.tif 000004
【図３】
2005151061.tif 000005
【図４】
2005151061.tif 000006